(57)【要約】【課題】  回転機構を備えたディスプレイ装置において、ディスプレイ本体を回転可能にスタンドに支持するとともに、バックカバーの取付け、取外しを容易にしたディスプレイ装置を提供することを目的とする。【解決手段】  本発明は、前面枠２２とバックカバー２３から成る筐体内にディスプレイパネル及びシャーシ２５を設け、ディスプレイ本体２の下部にスタンド３を配置し、このスタンド３には円筒状の支柱５を設け、支柱５上にディスプレイ本体２を支持するため、支柱の他端とディスプレイ本体内のシャーシ２５とを結合するＬ字状の取付金具６を使用する。さらに、シャーシ２５と取付金具６の間に結合ピース８を固定し、シャーシが筐体から露出するのを防ぐようにし、バックカバー２３を取外す場合は、前面枠２２との結合を解除するだけで、バックカバーを外すことが出来るようにしたディスプレイ装置である。【選択図】  図３
2006091713.tif 000002
【特許請求の範囲】
【請求項１】
前面枠とバックカバーとから成る筐体内にディスプレイパネル及びシャーシを配置したディスプレイ本体と、
前記ディスプレイ本体の下部に配置されるスタンドと、
外形が円筒状を成し、一端が前記スタンドに取付けられ垂直方向に突出した支柱と、
前記支柱上に前記ディスプレイ本体を支持するため、前記支柱の他端と前記ディスプレイ本体内のシャーシとを結合するためのＬ字状の取付金具と、
前記シャーシと前記取付金具の間に固定され、前記シャーシが筐体から露出するのを防ぐ結合ピースと、
前記前面枠と前記バックカバーとを結合する結合部材とを具備して成ることを特徴とするディスプレイ装置。
【請求項２】
前記スタンドは、底板を含み、この底板上に周方向に所定の範囲で回転可能に取付けられたスィーベル機構を有し、前記円筒状の支柱の前記一端をこのスィーベル機構の上に固定したことを特徴とする請求項１記載のディスプレイ装置。
【請求項３】
前記筐体の前記バックカバーの底部背面に収納部を有し、前記取付金具をこの収納部内に配置して成ることを特徴とする請求項１記載のディスプレイ装置。
【請求項４】
前面枠とバックカバーとを結合して成る筐体内にディスプレイパネル及び
シャーシを垂直方向に配置し、前記バックカバーの底部背面に収納部を有したディスプレイ本体と、
前記ディスプレイ本体の下部に配置されるスタンドと、
外形が円筒状を成し、一端が前記スタンドに取付けられ垂直方向に突出した支柱と、
水平面及び垂直面を有し、前記支柱の他端上面に前記水平面が取付けられ、前記バックカバーの前記収納部内に配置されるＬ字状の取付金具と、
前記取付金具の前記垂直面に対面して一体的に取付けられ、前記シャーシ及び前記取付金具の垂直面との間に固定され、前記シャーシが筐体から露出するのを防ぐ結合ピースと、
前記前面枠と前記バックカバーとを結合する結合部材とを具備して成ることを特徴とするディスプレイ装置。
【請求項５】
前記スタンドは、底板を含み、さらにこの底板上に固定された支持板と、この支持板上に周方向に所定の範囲で回転可能に取付けられた本体部とを有するスィーベル機構を内蔵したことを特徴とする請求項４記載のディスプレイ装置。
【発明の詳細な説明】
【技術分野】
【０００１】
本発明は、液晶ディスプレイやプラズマディスプレイ等のフラットパネル型のディスプレイ装置に係り、特にディスプレイ本体をスタンド上に支持するタイプにおいて、バックカバーの取付け、取外しを容易にしたバックカバー構造を備えたディスプレイ装置に関する。
【背景技術】
【０００２】
従来、画像表示のために各種ディスプレイ装置が用いられているが、最近では薄型で比較的大画面のディスプレイ装置として、例えば液晶ディスプレイやプラズマディスプレイ等によるフラットパネル型のディスプレイ装置が普及している。
【０００３】
このようなディスプレイ装置は、薄型であることから壁掛けタイプや、ディスプレイ本体をスタンド上に支持するタイプが一般的である。また、スタンドを有するディスプレイ装置では、ディスプレイ本体を水平方向に所定の角度だけ回転できるようにした、所謂スィーベル機構を備え、視聴者が見やすい角度に調整できるようにしたものもある。
【０００４】
一般的に、ディスプレイ本体は前面枠とバックカバーから成る筐体内にフラットパネル型のディスプレイが配置され、さらに回路基板や部品等を取付けたシャーシも筐体内に配置されている。例えば特許文献１には、ディスプレイパネルと、シャーシや回路ブロックとを前面枠とバックカバーから成る筐体内に配置し、このようなディスプレイ部をスタンドの上に取付ける構造が示されており、スタンドにポールを立て、そのポールにブラケットを取付け、このブラケットにバックカバーを固定する例が示されている。
【０００５】
一方、このようなディスプレイ装置では、生産ラインやメンテナンス等で部品交換や回路チェック等を行うことがあり、この場合にはバックカバーを取外す必要がある。ところで、バックカバーがスタンドに固定されている場合、バックカバーと前面枠との固定ネジを外し、さらにバックカバーとスタンドとの固定ネジを外す必要がある。特許文献１の例ではポールとブラケットとバックカバーとを結合している複数のネジを外す必要があり、スタンド部分も分解することになり、作業性に難を有するという不都合があった。
【０００６】
又、ディスプレイ部をスタンド上に左右方向及び上下方向に回転自在に取付けるため、ヒンジ構造を設けた例が特許文献２に記載されており、ディスプレイ部が上下方向及び左右方向に調節可能であり、ユーザの所望の通りにディスプレイ部の角度を調節して使用できるようになっている。しかしながら、この特許文献２においても、バックカバーと上記したヒンジ機構とがネジ等によって結合されてスタンドに取付けられているため、バックカバーを取外す際には、作業が複雑となる不都合があった。
【特許文献１】特開２００４−１２６４５６号公報（第３頁〜第４頁、図３）
【特許文献２】特開平１０−１４３０８４号公報（第３頁〜第４頁、図２）
【発明の開示】
【発明が解決しようとする課題】
【０００７】
上記したようにディスプレイ本体をスタンド上に支持するタイプのディスプレイ装置では、メンテナンス等のためにバックカバーを取外す際に、複雑な取外し作業を必要とし作業性に難があった。
【０００８】
本発明は上記した点に鑑み、ディスプレイ本体をスタンドに安定的に支持することができ、メンテナンス等のためにバックカバーを取外す際には、簡単な作業でバックカバーを取外すことができるようにしたディスプレイ装置を提供することを目的とする。
【課題を解決するための手段】
【０００９】
本発明はこのような問題点を解決するためになされたディスプレイ装置であって、前面枠とバックカバーとから成る筐体内にディスプレイパネル及びシャーシを配置したディスプレイ本体と；前記ディスプレイ本体の下部に配置されるスタンドと；外形が円筒状を成し、一端が前記スタンドに取付けられ垂直方向に突出した支柱と；前記支柱上に前記ディスプレイ本体を支持するため、前記支柱の他端と前記ディスプレイ本体内のシャーシとを結合するためのＬ字状の取付金具と；前記シャーシと前記取付金具の間に固定され、前記シャーシが筐体から露出するのを防ぐ結合ピースと；前記前面枠と前記バックカバーとを結合する結合部材とを具備して成ることを特徴とする。
【００１０】
また、本発明のディスプレイ装置は、前面枠とバックカバーとを結合して成る筐体内にディスプレイパネル及びシャーシを垂直方向に配置し、前記バックカバーの底部背面に収納部を有したディスプレイ本体と；前記ディスプレイ本体の下部に配置されるスタンドと；外形が円筒状を成し、一端が前記スタンドに取付けられ垂直方向に突出した支柱と、  水平面及び垂直面を有し、前記支柱の他端上面に前記水平面が取付けられ、前記バックカバーの前記収納部内に配置されるＬ字状の取付金具と；前記取付金具の前記垂直面に対面して一体的に取付けられ、前記シャーシ及び前記取付金具の垂直面との間に固定され、前記シャーシが筐体から露出するのを防ぐ結合ピースと；前記前面枠と前記バックカバーとを結合する結合部材とを具備して成ることを特徴とする。
【発明の効果】
【００１１】
本発明のディスプレイ装置によれば、ディスプレイ本体をスタンド上に回転可能に取付けることができ、メンテナンス等でバックカバーを取外す必要があるときは、簡単な作業にて取外すことが可能なディスプレイ装置を得ることができる。
【発明を実施するための最良の形態】
【００１２】
以下、図面を参照しながら本発明のディスプレイ装置について詳細に説明する。
【実施例１】
【００１３】
図１は本発明のディスプレイ装置を背面から見た場合の全体構造を示す斜視図であり、図２はスタンド部の内部構造を分かりやすく説明した斜視図である。また、図３は、スタンド部の内部構造とその周辺部を拡大して説明した分解斜視図であり、図４はバックカバーとスタンドとの取付け状態を概略的に示した図であり、図５は要部の断面図である。先ず、図１，図２を参照してディスプレイ装置の概略的な構成について説明する。
【００１４】
図１において、ディスプレイ装置１は、ディスプレイ本体２と、このディスプレイ本体２の下部に配置されディスプレイ本体２を支えるスタンド３から構成されている。ディスプレイ本体２は例えば液晶ディスプレイやプラズマディスプレイ等からなる薄型のフラットパネル２１を前面に備え、そのフラットパネル２１を筐体に収容している。尚、筐体は前面枠２２とバックカバー２３から成っている。また、前記バックカバーの底部背面に収納部２４を有している。、
又、前記スタンド３は、台座３１と、第１のカバー３２と第２のカバー３３、第３のカバー３４から成り、第１のカバー３２は、台座３１の上面を覆い、第２のカバー３３は後述するスイーベル機構を覆うように取付けられ、第３のカバー３４は後述する支柱を覆うようにバックカバー２３に取付けられる。又，バックカバー２３を前面枠２２に取付けため、バックカバー２３には複数のネジ穴２３１が設けられ、ネジにて結合されている。
【００１５】
次に本発明の主要部の構造を図２、図３を参照して説明する。図２は、前記台座３１と、第１のカバー３２、第２のカバー３３、第３のカバー３４とを取外した状態での全体的構造を示し、図３は、主にスィーベル機構４と、スィーベル機構４に固定された円筒状の支柱５と、ディスプレイ本体２を支持する取付金具６の構造と、さらに取付金具６をバックカバー２３内のシャーシに取付けるための結合ピース８を拡大して示したものである。
【００１６】
前記スィーベル機構４は、支柱５を支える本体部４１と、スタンド３の底板３５に取付けられた支持板４２とを備え、本体部４１は、支持板４２の上に矢印Ｘ（図３）で示すように所定の角度範囲内において左右方向（周方向）に回転可能に取付けられている。また、円筒状の支柱５は、スィーベル機構４の上面に固定されているため、前記スィーベル機構４の本体部４１の回転により、矢印Ｘ方向に所定の角度範囲θ内において回転可能になっている。
【００１７】
又、前記支柱５の頂部には取付金具６がネジによって固定されている。取付金具６は外観上、Ｌ字形を成し、図３に示すように前記バックカバー２３の収納部２４に配置され、ディスプレイ本体２のシャーシ２５に取付けられる垂直面６１と、支柱５の頂部に取付けられる水平面６２を有し、水平面６２が支柱５の頂部にネジ７１によって固定され、垂直面６１がネジ７２によりディスプレイ本体２のシャーシ２５に固定される。又、垂直面６１の上部には耳部６３が突出して形成されている。
【００１８】
この取付金具６には結合ピース８が取付け可能であり、結合ピース８は、前記垂直面６１と対面する平面部８１と、この平面部８１の上部両端に、前記耳部６３に係止する鉤部８２が一体に設けられている。さらに平面部８１の下部両端には取付片８３が突出して設けられ、この取付片８３がシャーシ２５に固定されるようになっている。
【００１９】
図４はバックカバー２３やシャーシ２５とスタンド３との取付け状態を概略的に示した図であり、取付金具６と結合ピース８とシャーシ２５との結合状態と、バックカバー２３との関係を示したものである。結合ピース８は、その鉤部８２が取付金具６の耳部６３に係止されることで、取付金具６と一体になり、ネジ７２によって取付金具６と結合ピース８とシャーシ２５とが結合する。又、結合ピース８の下部両端に設けた取付片８３をネジ７３によってシャーシ２５に結合する。尚、取付金具６と結合ピース８は、バックカバー２３の底部背面に設けた収納部２４内に配置されるようになっており、シャーシ２５は前面枠２２内に取付けられ、バックカバー２３は、シャーシ２５を覆うように前面枠２２に固定される。尚、図４では、バックカバー２３が前面枠から取外された状態で一点鎖線で示している。
【００２０】
かくして、取付金具６とシャーシ２５は結合ピース８を介して結合され、取付金具６が支柱５によってスィーベル機構４の上に配置されることになり、ディスプレイ本体２は支柱５の軸周りに所定の角度θの範囲内でＸ方向（図３参照）に回転可能となる。
【００２１】
図５は、本発明のディスプレイ装置の断面構造を示したものであり、スタンド３、スィーベル機構４、支柱５、取付金具６、結合ピース８、シャーシ２５、及び前面枠２２、バックカバー２３を取付けた状態を示すもので、ディスプレイ本体２の上端部は図示を省略し、スタンド３及びスィーベル機構４、支柱５、取付金具６を主体に示している。
【００２２】
この断面図から分るように、ディスプレイ本体２は支柱５の上に取付金具６によって取付けられ、支柱５はスィーベル機構４の上に支持され、スィーベル機構４は、スタンド３の底板３５に支持板４２によって固定されている。又、取付金具６と結合ピース８は、ネジ７２（図３）によってシャーシ２５に結合し、さらに結合ピース８はネジ７３（図３）によってシャーシ２５に結合している。
【００２３】
したがって、バックカバー２３は、スタンド３（取付金具６）と結合状態が干渉していないため、メンテナンス等により、バックカバー２３を取外す際は、前面枠２１との結合ネジ（図１のネジ穴２３１に螺入されている）を外すだけで、前面枠２１から外すことができ、作業性が向上する。つまり、スタンド３部分をバラしたりする必要がないため、バックカバー２３の取外しが容易になる。尚、結合ピース８をシャーシに結合した後は、この結合ピース８によってシャーシ２５が外部に露出するのを防ぐため、品位向上の役割も担っている。
【００２４】
このように本発明のディスプレイ装置によれば、スィーベル機構４をスタンド３に配置し、かつ支柱５とシャーシ２５の取付けに取付金具６と結合ピース８を利用したことにより、ディスプレイ本体を安定的にかつ回転可能に支持し、バックカバー２３の取付けや取外し効率のよいディスプレイ装置を提供することができる。
【図面の簡単な説明】
【００２５】
【図１】本発明に係るディスプレイ装置の背面を示す斜視図。
【図２】本発明に係るディスプレイ装置の要部の構成を示す斜視図。
【図３】図２の要部の構成を拡大して示す分解斜視図。
【図４】本発明に係るディスプレイ装置の各部品の概略的な配置を示す斜視図。
【図５】本発明に係るディスプレイ装置の要部の構成を示す断面図。
【符号の説明】
【００２６】
１    ディスプレイ装置
２    ディスプレイ本体
２１  フラットパネル  
２２  前面枠
２３  バックカバー  
２３１  ネジ穴
３    スタンド
３１  台座
３２，３３，３４  カバー
３５  底板
４    スィーベル機構
４１  本体部
４２  支持板
５  支柱
６  取付金具
７１，７２，７３  ネジ
８  結合ピース
【図１】
2006091713.tif 000003
【図２】
2006091713.tif 000004
【図３】
2006091713.tif 000005
【図４】
2006091713.tif 000006
【図５】
2006091713.tif 000007